(57)【特許請求の範囲】
【請求項１】
無線通信装置から無線通信局にランダムアクセス伝送としてデータを送信する方法であって、
前記無線通信装置が、
チャネル状態に関するデータ又は前記無線通信装置若しくはネットワークについての他の情報に関するデータにリンクされるか又は少なくとも部分的に当該データから得られる一時識別子を定めるステップであって、前記データが、
受信信号の信号品質、
複数の周波数又は周波数帯の信号品質、
複数のアンテナに対する信号品質、
チャネル伝達関数、
前記無線通信装置において利用可能な受信アンテナの数、
前記無線通信局の識別子、
事前符号化マトリクス、
前記無線通信装置によりサポート可能な空間的ストリームの数、
前記無線通信装置の位置、
前記無線通信装置から、前記ランダムアクセス伝送が向けられる無線通信局への伝搬経路の角度、
前記無線通信装置から、前記ランダムアクセス伝送が向けられる無線通信局への伝搬経路の前記角度の不確実性又は角度広がり、
前記ランダムアクセス伝送の前の伝送の数、及び
要求されたデータレート、
のうちの少なくとも２つを有するステップと、
送信される前記データに依存して信号を選択するステップと、
第１ランダムアクセス伝送として、前記選択された信号を無線通信局に送信するステップと、
前記無線通信局が、
前記信号から前記一時識別子を導出するステップと、
前記無線通信局からの後続の伝送において、当該伝送の目的地として前記無線通信装置を識別し、前記無線通信装置からの後続の伝送において、当該伝送の送信源を識別するために、前記一時識別子の表示を使用するステップと
を有する方法。
【請求項２】
送信源を識別するため、前記無線通信装置からの後続の伝送に前記一時識別子の表示を含めるステップを有する、請求項１に記載のデータを送信する方法。
【請求項３】
前記後続の伝送が、後続のランダムアクセス伝送である、請求項２に記載のデータを送信する方法。
【請求項４】
前記第１ランダムアクセス伝送が、前記無線通信局により保持される、前記無線通信装置に関する記憶されたパラメータの妥当性の表示を含む、請求項１，２又は３に記載のデータを送信する方法。
【請求項５】
無線通信局においてデータを受信する方法であって、
前記無線通信局が、
無線通信装置から、チャネル状態に関するデータ又は前記無線通信装置若しくはネットワークについての他の情報に関するデータにリンクされるか又は少なくとも部分的に当該データから得られる前記無線通信装置の一時識別子を示す第１ランダムアクセス信号を受信するステップであって、前記一時識別子は前記第1ランダムアクセス信号を伝送する前記無線通信装置によって定められ、前記データが、
受信信号の信号品質、
複数の周波数又は周波数帯の信号品質、
複数のアンテナに対する信号品質、
チャネル伝達関数、
前記無線通信装置において利用可能な受信アンテナの数、
前記無線通信局の識別子、
事前符号化マトリクス、
前記無線通信装置によりサポート可能な空間的ストリームの数、
前記無線通信装置の位置、
前記無線通信装置から、前記ランダムアクセス伝送が向けられる無線通信局への伝搬経路の角度、
前記無線通信装置から、前記ランダムアクセス伝送が向けられる無線通信局への伝搬経路の前記角度の不確実性又は角度広がり、
前記ランダムアクセス伝送の前の伝送の数、及び
要求されたデータレート、
のうちの少なくとも２つを有するステップと、
前記第１ランダムアクセス信号により示される前記データを決定するステップと、
前記第１ランダムアクセス信号から、前記無線通信装置の前記一時識別子を導出するステップと、
後続の伝送の意図された受信者として、前記無線通信装置を識別するため、前記無線通信局からの該後続の伝送に前記一時識別子の表示を含めるステップと
を有する方法。
【請求項６】
前記決定されたデータに依存して伝送パラメータを導出するステップと、
前記無線通信装置への伝送のため、前記導出された伝送パラメータを使用するステップと
を含む、請求項５に記載のデータを受信する方法。
【請求項７】
後続の受信信号の送信源として前記無線通信装置を識別するため、前記一時識別子の表示を使用するステップを含む、請求項５又は６に記載のデータを受信する方法。
【請求項８】
前記後続の受信信号が、後続の受信されるランダムアクセス信号である、請求項７に記載のデータを受信する方法。
【請求項９】
前記第１ランダムアクセス伝送が、前記無線通信局により保持される、前記無線通信装置に関する記憶されたパラメータの妥当性の表示を有し、該表示に応答して、前記記憶されたパラメータに依存して前記無線通信装置との後続の通信を制御するステップを更に有する、請求項５乃至８の何れか一項に記載のデータを受信する方法。
【請求項１０】
前記後続の通信を制御するステップが、前記記憶されたパラメータに依存して前記伝送パラメータを導出するステップを有する、請求項９に記載のデータを受信する方法。
【請求項１１】
前記記憶されたパラメータが、
更なる識別子、
無線送信又は受信性能、
サポートされたアプリケーション、
サポートされたデータレート、
複数のアンテナ、
サービスレベルの品質、
待ち時間要件、及び
資源割り当て要件
のうちの少なくとも１つを有する、請求項９又は１０に記載のデータを受信する方法。
【請求項１２】
請求項１乃至４の何れか一項に記載の無線通信装置を動作させるステップと、
請求項５乃至１１の何れか一項に記載の無線通信局を動作させるステップと、
を有する、無線通信システムを動作させる方法。
【請求項１３】
無線通信局にランダムアクセス伝送としてデータを送信する無線通信装置であって、
チャネル状態に関するデータ又は前記無線通信装置若しくはネットワークについての他の情報に関するデータにリンクされるか又は少なくとも部分的に当該データから得られる一時識別子を定める手段であって、前記データが、
受信信号の信号品質、
複数の周波数又は周波数帯の信号品質、
複数のアンテナに対する信号品質、
チャネル伝達関数、
前記無線通信装置において利用可能な受信アンテナの数、
前記無線通信局の識別子、
事前符号化マトリクス、
前記無線通信装置によりサポート可能な空間的ストリームの数、
前記無線通信装置の位置、
前記無線通信装置から、前記ランダムアクセス伝送が向けられる無線通信局への伝搬経路の角度、
前記無線通信装置から、前記ランダムアクセス伝送が向けられる無線通信局への伝搬経路の前記角度の不確実性又は角度広がり、
前記ランダムアクセス伝送の前の伝送の数、及び
要求されたデータレート、
のうちの少なくとも２つを有する手段と、
送信される前記データに依存して信号を選択する手段と、
第１ランダムアクセス伝送として前記選択された信号を無線通信局に送信する手段と、
前記無線通信局において導出された当該無線通信装置の前記一時識別子の表示を前記無線通信局から受信する手段と、
前記無線通信装置に対して意図される後続の受信信号を識別するため、前記一時識別子の表示を使用する手段と
を有する無線通信装置。
【請求項１４】
送信源を識別するため、前記無線通信装置からの後続の伝送に前記一時識別子の表示を含める手段を更に含む、請求項１３に記載の無線通信装置。
【請求項１５】
前記後続の伝送が、後続のランダムアクセス送信である、請求項１４に記載の無線通信装置。
【請求項１６】
前記無線通信局により保持され、前記無線通信装置に関連する記憶されたパラメータの妥当性の表示を、前記第１ランダムアクセス送信に含める手段を有する、請求項１３乃至１５の何れか一項に記載の無線通信装置。
【請求項１７】
データを受信する無線通信局であって、
無線通信装置から、チャネル状態に関するデータ又は前記無線通信装置若しくはネットワークについての他の情報に関するデータにリンクされるか又は少なくとも部分的に当該データから得られる前記無線通信装置の一時識別子を示す第１ランダムアクセス信号を受信する手段であって、前記一時識別子は前記第1ランダムアクセス信号を伝送する前記無線通信装置によって定められ、前記データが、
受信信号の信号品質、
複数の周波数又は周波数帯の信号品質、
複数のアンテナに対する信号品質、
チャネル伝達関数、
前記無線通信装置において利用可能な受信アンテナの数、
前記無線通信局の識別子、
事前符号化マトリクス、
前記無線通信装置によりサポート可能な空間的ストリームの数、
前記無線通信装置の位置、
前記無線通信装置から、前記ランダムアクセス伝送が向けられる無線通信局への伝搬経路の角度、
前記無線通信装置から、前記ランダムアクセス伝送が向けられる無線通信局への伝搬経路の前記角度の不確実性又は角度広がり、
前記ランダムアクセス伝送の前の伝送の数、及び
要求されたデータレート、
のうちの少なくとも２つを有する手段と、
前記第１ランダムアクセス信号により示される前記データを決定する手段と、
前記第１ランダムアクセス信号から、前記無線通信装置の前記一時識別子を導出する手段と、
後続の伝送の意図された受信者として前記無線通信装置を識別するため、前記無線通信局からの前記後続の伝送に前記一時識別子の表示を含める手段と
を有する、無線通信局。
【請求項１８】
前記決定されたデータに依存して送信パラメータを導出する手段と、
前記無線通信装置への送信のため、前記導出された送信パラメータを使用する手段と
を有する、請求項１７に記載の無線通信局。
【請求項１９】
後続の受信信号の送信源として前記無線通信装置を識別するため、前記一時識別子を使用する手段を有する、請求項１７又は１８に記載の無線通信局。
【請求項２０】
前記後続の受信信号が、後続の受信されたランダムアクセス信号である、請求項１９に記載の無線通信局。
【請求項２１】
前記第１ランダムアクセス送信が、前記無線通信局により保持され、前記無線通信装置に関連する記憶されたパラメータの妥当性の表示を含み、前記無線通信局が、該表示に応答して、前記記憶されたパラメータに依存する前記無線通信装置との後続の通信を制御する手段を更に有する、請求項１７乃至２０の何れか一項に記載の無線通信局。
【請求項２２】
前記後続の通信を制御する手段が、前記記憶されたパラメータに依存して前記送信パラメータを導出する、請求項２１に記載の無線通信局。
【請求項２３】
前記記憶されたパラメータが、
更なる識別子、
無線送信又は受信性能、
サポートされたアプリケーション、
サポートされたデータレート、
複数のアンテナ、
サービスレベルの品質、
待ち時間要件、及び
資源割り当て要件
のうちの少なくとも１つを有する、請求項２１又は２２に記載の無線通信局。
【請求項２４】
請求項１３乃至１６の何れか一項に記載の無線通信装置と、
請求項１７乃至２３の何れか一項に記載の無線通信局と
を有する、無線通信システム。
【発明の詳細な説明】
【技術分野】
【０００１】
本発明は、無線通信装置、及び無線通信装置を動作させる方法に関する。本発明は、前記装置を有する無線通信システム、及び該無線通信システムを動作させる方法にも関する。本発明は、例えば排他的ではないが、携帯通信システムにおける用途を有する。
【背景技術】
【０００２】
携帯通信システムは、携帯端末がネットワークにアクセスすることができるランダムアクセス機構を必要とする。ＵＭＴＳ  ＬＴＥ（Universal  Mobile  Telecommunication  System  Long  Term  Evolution）を考慮するランダムアクセス機構の一例において、携帯端末は、非同期ランダムアクセスチャネル（ＲＡＣＨ）上でシグネチャを送信する。携帯端末は、より大きなセット（例えば６４）から特定の識別特性（signature）を選択し、こうすることは、より少ないビット（例えば６）の情報が運ばれることを可能にする。一つの要件は、衝突確率（すなわち２つの携帯端末が同時に同じ識別特性を使用する確率）が十分低くなるべきであるということである。更なる要件は、結果となる波形が低い相互相関を有するということである。
【０００３】
識別特性を規定するビットパターンは、１又はそれより多くのデータフィールドに関して考慮され得る。データフィールドの潜在的な内容のいくつかの例は、以下の通りである。
‐（衝突のリスクを低下させるため、一時的に携帯端末固有の形態の）疑似ランダムデータ
‐チャネル品質表示（ＣＱＩ）又は経路損失測定
‐ＲＡＣＨアクセスに対する理由
ＣＱＩ及び理由フィールドは、これらが端末間で十分に相関していない場合、衝突を低下させることにも役立ち得る。
【０００４】
ネットワーク、又はより詳細にはアクセスポイントによる識別特性の検出に従って、例えばデータ伝送の資源を割り当てるため、アップリンク（携帯端末からネットワークへ）及びダウンリンク（ネットワークから携帯端末へ）の両方において更なる信号送信が行われる。アクセスポイントは、ランダムアクセスプロセスの最終的なステージ、及びその後のダウンリンク伝送の効率を最大化させるように伝送特性（例えばレート、電力、ビーム形成、事前符号化）を選択するため、チャネル状態情報を必要とする。上記の例示的な機構は、第１の伝送において送信され得る少数の役立つデータビットのみを供給し、このためチャネルは、あまり正確に記載され得ない。潜在的衝突確率を最小化させることも所望される。
【発明の概要】
【発明が解決しようとする課題】
【０００５】
本発明の目的は、改善されたランダムアクセス機構を可能にすることである。
【課題を解決するための手段】
【０００６】
本発明の第１の態様によると、
‐送信されるべきデータに依存する信号を選択するステップと、
‐第１ランダムアクセス伝送として選択された信号を無線通信局に送信するステップと、
‐前記データに依存する識別子を得るステップと、
‐無線通信装置に対して意図される、続いて受信された信号を識別するため、前記識別子を使用するステップと
を含む、無線通信装置からデータを送信する方法が提供される。
【０００７】
本発明の第２の態様によると、無線通信局においてデータを受信する方法であって、
‐第１ランダムアクセス信号により示されるデータを決定するステップと、
‐決定されたデータに依存する識別子を得るステップと、
‐後続の伝送の意図された受信者として、無線通信装置を識別するため、無線通信局からの後続の伝送に識別子を含めるステップと
を有する方法が提供される。
更なるステップは、
‐所定のデータに依存して、伝送パラメータを得るステップ、及び
‐無線通信装置への伝送のため、得られた伝送パラメータを使用するステップ
であり得る。
【０００８】
本発明は、本発明の第１の態様による無線通信装置を動作させるステップと、本発明の第２の態様による無線通信局を動作させるステップとを含む、通信システムを動作させる方法も提供する。
【０００９】
本発明の第３の態様によると、データを送信するための無線通信装置であって、
‐送信されるデータに依存する信号を選択する手段と、
‐第１ランダムアクセス伝送として選択された信号を、無線通信局に送信する手段と、
‐データに依存する識別子を得る手段と、
‐無線通信装置に対して意図される後続の受信された信号を識別するため、前記識別子を使用する手段と
を有する無線通信装置が設けられる。
【００１０】
本発明の第４の態様によると、データを受信する無線通信局であって、
‐受信されるデータを示す第１ランダムアクセス信号を無線通信装置から受信する手段と、
‐第１ランダムアクセス信号により示されるデータを決定する手段と、
‐決定されたデータに依存する識別子を得る手段と、
‐後続の伝送の意図された受信者として無線通信装置を識別するため、無線通信局からの後続の伝送に識別子を含める手段と
を含む無線通信局が設けられる。
更なる特徴は、
‐決定されたデータに依存する伝送パラメータを得る手段、及び
‐無線通信装置への伝送に対して、得られた伝送パラメータを使用する手段
であり得る。
【００１１】
本発明は、本発明の第３の態様による無線通信装置と、本発明の第４の態様による無線通信局とを有する通信システムも提供する。
【００１２】
したがって、本発明は、データにリンクするか、又は少なくとも部分的にデータから得られる一時的な識別子を仮定する無線通信装置（例えば携帯端末）に関する。無線通信装置は、データによる信号を選択することにより、識別子及びデータを送信する。無線通信局（例えば基地局又は他のネットワーク装置）は、信号を受信し、信号からのデータを決定し、データから識別子を決定する。データから得られる識別子の使用は、識別子の明示的な更なる表示を送信する必要をなくし、データは識別子を暗示的に運ぶ。このように、システム効率は、改善され得る。
【００１３】
識別子の表示は、送信源を識別するために無線通信装置からの後続の送信に含まれ得、これは、無線通信局が後続の送信源を識別することを可能にし、識別子の表示は、送信の目的地を識別するため、無線通信局からの後続の送信に含まれ得る。このような無線通信装置からの後続の送信は、ランダムアクセス送信になり得る。このように一時識別子をのちに使用することは、通信が、無線通信装置の所定の識別子を確立するために付加的な信号送信をする必要なく開始することを可能にする。このように、システム効率は、更に改善され得る。
【００１４】
データは、
‐受信信号の信号品質
‐複数の周波数又は周波数帯の信号品質
‐チャネルの伝達関数
‐無線通信装置において利用可能な受信アンテナの数
‐ランダムアクセス送信が向けられる選択された無線通信局の（事前に割り当てられた）識別子
‐事前符号化マトリクス
‐無線通信装置によりサポート可能な空間的ストリームの数
‐無線通信装置の位置
‐無線通信装置から、ランダムアクセス送信が向けられる無線通信局への伝搬経路の角度
‐無線通信装置から、ランダムアクセス送信が向けられる無線通信局への伝搬経路の角度の角度広がり又は不確実性
‐ランダムアクセス送信の前の送信の数
‐必要とされるデータレート
のうちの少なくとも１つの表示を有し得る。
【００１５】
無線通信装置からのランダムアクセス送信は、無線通信局により保持され、無線通信装置に関連する記憶されたパラメータの妥当性の表示を含み得る。この表示の受信に応答して、無線通信局は、記憶されたパラメータに依存して、無線通信装置との後続の通信を制御し、例えばこれは、記憶されたパラメータに依存する送信パラメータを獲得し得る。この特徴は、無線通信局が、無線通信装置と関連して記憶しているという情報を再利用することを可能にし、これにより、このような情報の再取得を必要とせず、無線通信局が既に保持する現在妥当な情報を無線通信装置が再送信することを必要としない。
【００１６】
例えば妥当性の表示は、
‐前に送信されたデータが（例えばチャネル品質に関連して）妥当なままであるかどうか
‐識別子が現在知られ、無線通信局における無線通信装置（例えば基地局又は他のネットワーク装置）と関連付けられるかどうか
‐更なる識別子が、例えばより高い層のプロトコルと関連して、無線通信装置に現在割り当てられ、前記識別子と関連付けられるかどうか
‐無線通信装置と関連付けられる他のパラメータ、例えば無線送信若しくは受信性能、サポートされる、若しくはアクティブなアプリケーション若しくはデータレート、複数のアンテナ、サービスレベルの品質、待ち時間要件、又は資源割り当て要件が、無線通信装置に現在知られ、前記識別子と関連付けられるかどうか
のうちの１又はそれより多くを示すフラグ（例えば単一のビット）の形態をとり得る。
【００１７】
対応して、無線通信局により保持される記憶されたパラメータは、
‐例えばより高い層のプロトコルと関連する更なる識別子、
‐無線送信又は受信性能、
‐サポートされた、若しくはアクティブなアプリケーション若しくはデータレート、
‐アンテナの数、
‐サービスレベルの品質、
‐待ち時間要件、又は
‐資源割り当て要件
であり得る。
【００１８】
本発明は、単に例として、添付の図面を参照して記載されるであろう。
【図面の簡単な説明】
【００１９】
【図１】図１は、データを送信する無線通信装置のブロック概略図である。
【図２】図２は、データを受信する無線通信局のブロック概略図である。
【発明を実施するための形態】
【００２０】
本発明の実施例は、携帯通信システムを参照して記載され、図１の無線通信装置１００は、携帯電話のような携帯端末であり、図２の無線通信局は、ネットワークにおける基地局又はアクセスポイントである。
【００２１】
本発明によると、携帯端末１００は、チャネル状態、又は携帯端末若しくはネットワークについての他の情報にリンクされ得るが、又は少なくとも部分的にこれらの情報から得られる一時識別情報を仮定する。それから、この識別情報は、信号選択部１０により、識別情報に従って識別特性信号を選択することにより送信される。
【００２２】
これは、アクセスポイント２００の受信機１１０により特定の識別特性が受信される場合、一時識別情報が、識別子導出部により決定され得、チャネル状態の関連付けられた値又は他のパラメータが確立され得ることを意味する。それからこれらは、パラメータ記憶部１６０に記憶される場合、後続のダウンリンク送信に対する適切なパラメータを導出するために使用され得る。
【００２３】
以前又は最近ネットワークへの接続のない携帯端末に対して、携帯端末は、識別子導出部３０の支援で、適切な手続きに基づき、自身の一時識別情報を導出し得る。例えば、量子化されたチャネル状態パラメータの最重要ビットを取得し、オプションとして、類似のチャネル状態をもつ携帯端末間を見分けるためのいくつかの更なるビットを追加する。
【００２４】
識別特性信号の選択にも関わらず、衝突の確率、すなわちアクセスポイントが、異なる無線通信装置から２つの同一の識別情報を受信することが依然としてある。それゆえ、手続き上のいくつかの更なるステップは、衝突解消を可能にするために付加され得る。このようなステップは、従来技術でよく知られ、ここに記載されない。
【００２５】
携帯端末１００がアクセスポイント２００への接続を確立した場合、一時識別情報は、いくつかの都合のよいときに、ネットワークにより割り当てられ得る。この一時識別情報は、潜在的な後の使用のため、データ記憶部７０において携帯端末１００により保有される。好ましくは、この識別情報は、最初のアクセスのために使用される識別情報に準拠し、これは、チャネル状態情報又は他のタイプのデータに基づく。これを行う一態様は、同じチャネル状態情報、又は他のタイプのデータであるが、アクセスポイントにおいて知られるか、又は決定されるデータに基づいて、前記識別情報の一部とすることである。識別情報の第２の部分は、同じ識別情報を有する２つの携帯端末の可能性を回避するため、ランダムに生成される付加的なビットからなり得る。
【００２６】
ＵＭＴＳ  ＬＴＥに適用される本発明の例示的な実施例は、以下の通りである。ＵＭＴＳの専門用語を使用すると、携帯端末１００は、ユーザ装置（ＵＥ）と称され、基地局２００はノードＢと称される。６４個の識別特性のセットは、ＵＥ１００が通信しようと試みるノードＢに割り当てられる、ということを仮定する。例では、アクセスポイントは、複数の送信アンテナ（例えば線形アレイで４個）を有し、各々が、直交パイロットシーケンスを送信する。ＵＥ１００は、この信号選択部１０により、６ビットの一時識別情報に基づいて、これらの識別特性のうちの一つを選択する。
【００２７】
事前に、又は最近、ネットワークへの接続がないＵＥの場合、識別情報は以下のように導出される。基準方向に対するアクセスポイントへの角度を測定することにより、３つの最重要ビットが得られる。これは、アクセスポイントにおけるアンテナの各々からのパイロット送信の、ＵＥ１００における測定により決定され得る。この情報は、送信機のビーム形成部の設計を可能にする。３つの最も重要でないビットは、ダウンリンクパイロットを測定することにより決定される、予測されたＳＮＲ（信号対雑音比）又はＳＩＲ（信号対干渉比）に基づいて、ダウンリンクチャネル品質情報から得られる。チャネル品質情報が、およそアクセスポイントからの距離に依存するので、組み合わされた情報は、ＵＥ位置のおおよその測定を表わす。
【００２８】
アクセスポイント２００の受信機１１０が識別特性を受信する場合、例えば更なるアップリンク伝送に対して資源を割り当てるため、後続のダウンリンク伝送は、識別特性から決定されるチャネル品質情報及び角度の値に基づいて、ＵＥチャネルに対して適切である電力、データレート、ビーム形成パターンを使用してなされ得る。
【００２９】
更なる実施例において、ＵＥ１００への角度が、例えば送信パラメータ導出部１９０によるアップリンクにおける測定の実施により（すなわちＲＡＣＨ識別特性から）アクセスポイント２００によって決定され得る場合、アップリンク識別特性における角度を送信することは必要とされ得ない。この場合において、上記の角度情報は、角度不確実性又は角度広がりのような他のパラメータにより置き換えられ得る。これは、後続のダウンリンク伝送に対するロバストなビーム形成の設計を可能にする。
【００３０】
時分割複信（ＴＤＤ）システムにおいて、相互関係が利用され得、その結果、チャネルパラメータの測定は、両方の受信機においてなされ得る。瞬間的なチャネル状態は、アップリンク及びダウンリンクでは同様であると推定され得る。
【００３１】
周波数分割複信（ＦＤＤ）動作において、アップリンク及びダウンリンクは、異なる周波数であり、瞬間的なチャネル状態は、異なる可能性がある。しかしながら、チャネル統計は、同様であり得る。これは、時間又は周波数領域の平均がＦＤＤ動作に対して必要とされることを意味する。広い信号帯域幅は、周波数領域の平均化を可能にし、これは、ＲＡＣＨアクセスの場合により適切であり得る。
【００３２】
本発明は、異なるチャネル状態測定基準に適用され得、例えば
‐チャネル伝達関数
‐１つより多くの周波数又は周波数帯に対するＣＱＩ
‐１より多くのアンテナに対するＣＱＩ
‐１より多くのアンテナに対するＣＱＩ
‐アンテナ間の異なるＣＱＩ
‐好ましい事前符号化マトリクス
‐好ましい事前符号化ベクトル
‐チャネルランク（サポートされた空間的ストリームの数）
‐ＵＥの位置
‐ＵＥからアクセスポイントへの経路の角度
‐角度広がり又は不確実性
‐利用可能な受信機アンテナの数
である。
【００３３】
一時ＵＥ識別情報がチャネル状態情報から得られる場合において、これは、チャネル状態が著しく変更されないか、又はチャネル状態情報を示す他の手段が確立されていない限り、更なるＲＡＣＨアクセス試行にのみ役立ち得るであろう。これは、識別情報に埋め込まれるチャネル状態情報が、アクセスポイントにより使用され得るためである。それゆえ、ＵＥ識別情報を更新するいくつかの手段、例えば変更を要求する信号送信が提供され得る。これは、例えば記憶されたパラメータの妥当性を示す妥当性記憶部６０によりなされ得る。代替として、新たな識別情報は、必要である場合、新たなＲＡＣＨアクセスに対して生成され得る。後続の信号送信は、古いものを削除し得る。
【００３４】
代替として、又は付加的に、フラグ、例えばシングルビットは、ＲＡＣＨアクセスが、チャネル状態情報は妥当であるがＵＥの識別情報はアクセスポイントに知られていない、新たな識別情報を使用しているか、又はＵＥの識別情報がアクセスポイントにも知られている古い識別情報を使用しているかを示し得る。
【００３５】
代替として、シングルビットのフラグは、識別情報におけるチャネル状態情報が妥当であるかどうかを示し得る。
【００３６】
本明細書及び請求項において、単数の表記は、このような要素の複数の存在を排除しない。更に、「有する」という言葉は、列挙された以外の他の要素又はステップの存在を排除しない。
【００３７】
請求項において、括弧内に参照符号を含めることは、理解を支援することを意図され、制限することを意図されない。
【００３８】
本開示を読むことから、他の修正が、当業者には明らかであろう。このような修正は、無線通信技術においてすでに知られる他の技術、及び、ここに既に記載される特徴の代わり、又は該ここに記載される特徴に加えて使用され得る他の特徴に関し得る。
【００３９】
産業適用性は、ワイヤレス通信システム、例えばＵＭＴＳ  ＬＴＥ又は他のセルラーシステム、例えばＵＭＴＳ  ＷＣＤＭＡ（広帯域符号分割多重アクセス）にある。  
【図１】
0005474544.tif 000002
【図２】
0005474544.tif 000003